(57)【特許請求の範囲】
【請求項１】
上面に反射面が形成された基板と、
前記基板の両端に第１青色ＬＥＤを各々配置しその間に第２の緑色、赤色及び青色ＬＥＤを交代で配置した第１ＬＥＤ列と、
前記第１青色ＬＥＤに隣接した位置の前記基板の両端に第１赤色ＬＥＤを各々配置しその間に第２の緑色、青色及び赤色ＬＥＤを交代で配置した第２ＬＥＤ列と、
前記基板の両端に沿って配置される各々の前記第１青色ＬＥＤ及び前記第１赤色ＬＥＤから上側へ放射される光量を前記基板の中心部に配置される各々の前記第２ＬＥＤから上側へ放射される光量より小さく制御する制御手段と、
を含み、
前記基板の両端には前記第１青色ＬＥＤと前記第１赤色ＬＥＤが前記基板の両端に沿って交代で配置されるように前記第１ＬＥＤ列と第２ＬＥＤ列が交代で前記基板の上面に配置されることを特徴とするＬＥＤバックライト装置。
【請求項２】
前記制御手段は、前記基板の縁に沿って配置され前記第１青色ＬＥＤと第１赤色ＬＥＤの光が上向きに放射される量を減らす反射器を含むことを特徴とする請求項１に記載のＬＥＤバックライト装置。
【請求項３】
前記反射器は、前記第１青色及び第１赤色ＬＥＤを少なくとも部分的に上側で遮る上部のカバーと下部の側壁から成り、前記カバー下部で前記第１青色及び第１赤色ＬＥＤを少なくとも部分的に受容する空洞を有することを特徴とする請求項２に記載のＬＥＤバックライト装置。
【請求項４】
前記空洞は、前記第１青色及び赤色ＬＥＤの反対側部分が開いていることを特徴とする請求項３に記載のＬＥＤバックライト装置。
【請求項５】
前記空洞は、前記第１青色及び赤色ＬＥＤの反対側部分に配置された吸光体を含むことを特徴とする請求項３に記載のＬＥＤバックライト装置。
【請求項６】
前記制御手段は、前記第１青色及び赤色ＬＥＤの光量を前記第２ＬＥＤより低く制御する抵抗を有する駆動回路であることを特徴とする請求項１に記載のＬＥＤバックライト装置。
【請求項７】
上面に反射面が形成された基板と、
前記基板の両端に第１型青色ＬＥＤを各々配置しその間に第２型緑色、赤色及び青色ＬＥＤを交代で配置した第１ＬＥＤ列と、
前記第１型青色ＬＥＤに隣接した位置の前記基板の両端に第１型赤色ＬＥＤを各々配置しその間に第２型緑色、青色及び赤色ＬＥＤを交代で配置した第２ＬＥＤ列と、
前記基板の両端に沿って配置される各々の前記第１型青色ＬＥＤ及び前記第１型赤色ＬＥＤからの光量が前記基板の中心部に配置される各々の前記第２型ＬＥＤからの光量より少なくなるよう前記第１型及び第２型ＬＥＤを制御する駆動回路と、
を含み、
前記基板の両端には前記第１型青色ＬＥＤと前記第１型赤色ＬＥＤが前記基板の両端に沿って交代で配置されるように前記第１ＬＥＤ列と第２ＬＥＤ列が交代で前記基板の上面に配置され、前記基板を基準に前記基板の両端に沿って配置される前記第１型赤色ＬＥＤ及び前記第１型青色ＬＥＤの出力が前記基板の内部に配置される前記第２型ＬＥＤの出力より小さくなるようにすることを特徴とするＬＥＤバックライト装置。
【請求項８】
前記駆動回路は、前記第１型及び第２型ＬＥＤを共に制御することを特徴とする請求項７に記載のＬＥＤバックライト装置。
【請求項９】
前記駆動回路は、前記第１型及び第２型ＬＥＤを別々に制御することを特徴とする請求項７に記載のＬＥＤバックライト装置。
【請求項１０】
前記駆動回路は、前記第１ＬＥＤ列及び前記第２ＬＥＤ列を別々に制御することを特徴とする請求項７に記載のＬＥＤバックライト装置。
【請求項１１】
前記第１型赤色ＬＥＤ及び前記第１型青色ＬＥＤは、前記第２型ＬＥＤより出力が小さいことを特徴とする請求項７に記載のＬＥＤバックライト装置。
【請求項１２】
前記第１型赤色ＬＥＤ及び前記第１型青色ＬＥＤの入力側に配置された抵抗をさらに含むことを特徴とする請求項１１に記載のＬＥＤバックライト装置。
【請求項１３】
前記制御手段のカバーは、前記基板の縁から基板の内部に下向きに傾く傾斜面と、前記傾斜面の下側の底面を含み、前記側壁は前記基板の両端に沿って第１型青色ＬＥＤ又は第１型赤色ＬＥＤの少なくとも一部を収容するように陥没して形成される空洞と、前記空洞の内側に位置して前記底面とともに前記空洞を構成する内壁を含むことを特徴とする請求項３に記載のＬＥＤバックライト装置。
【請求項１４】
前記空洞は、前記側壁が前記傾斜面と前記底面が接する位置から前記内壁の位置まで全体的に陥没して形成されることを特徴とする請求項１３に記載のＬＥＤバックライト装置。
【発明の詳細な説明】
【技術分野】
【０００１】
本発明は、単色発光ダイオード（ＬＥＤ）を組み合わせて得た白色光源を液晶表示装置に供給するＬＥＤバックライト装置に関することであって、さらに具体的には基板の両端に赤色ＬＥＤを配置しその間に緑色、青色及び赤色ＬＥＤを交代で配置した第１ＬＥＤ列と、これと同一の方式で両端に青色ＬＥＤを配置した第２ＬＥＤ列を交代で配置し、両端に配置された赤色及び青色ＬＥＤから上側へ直接入射される光量を残りのＬＥＤの光量より小さく制御することにより、導光板の両端に生じる色偏差を除去することが出来るＬＥＤバックライト装置に関する。
【背景技術】
【０００２】
液晶表示装置(ＬＣＤ)は、自体光源が無いため外部照明を必要とし、一般的にバックライト装置を照明装置として使用する。バックライト装置はＬＣＤを後方から照明して、ＣＣＦＬ（Ｃｏｌｄ  Ｃａｔｈｏｄｅ  Ｆｌｕｏｒｅｓｃｅｎｔ  Ｌａｍｐ）、ＬＥＤ等を光源とする。
【０００３】
ＬＥＤを光源とするＬＥＤバックライト装置は、側光型と直下型がある。側光型は、透明な材質の導光板を基板上に載せ、導光板の一面または両面のＬＥＤから光を入射して導光板の底面に形成された光学的パターンを用いて光を上側の液晶パネルに送りバックライト照明を提供する。一方、直下型は、液晶パネルの下側に多数のＬＥＤを設置して液晶パネルにバックライト照明を提供する。これらは各々長短所があるが、直下型は大面積高出力に特に有利である。
【０００４】
図１は、従来技術によるＬＥＤバックライト装置の概略的な分解斜視図で、図２は、図１のＬＥＤバックライト装置の断面図である。
【０００５】
従来技術によるＬＥＤバックライト装置１０は、基板１２、該基板１２に配置された多数のＬＥＤ１４Ｒ，１４Ｇ，１４Ｂ、基板１２の縁に配置された側面反射器２０及び基板１２上側に配置された平面光学素子３０を含む。平面光学素子３０の上側には液晶パネル４０が配置され、ＬＥＤ１４Ｒ，１４Ｇ，１４Ｂから発生した光は相互混合され白色光を形成した後、平面光学素子３０を通過して液晶パネル４０にバックライト照明を提供することとなる。本明細書において平面光学素子３０は、下側のＬＥＤ１４Ｒ，１４Ｇ，１４Ｂから放射された光が上側の液晶パネル４０に入射される前に、これを処理する拡散板（例えば、微小プリズムシート）及び光学フィルタのような光学素子の総称である。
【０００６】
このような従来技術のＬＥＤバックライト装置１０は次のような短所がある。即ち、図３に図示した通り、液晶パネル４０の両側縁４２には色偏差が発生する。即ち、液晶パネル４０の両側縁４２は特定の色を帯びることとなるが、これは図２に図示した通り、両側縁に配置された赤色ＬＥＤ１４Ｒまたは青色ＬＥＤ１４Ｂの光が他の色の光より優勢なため充分混ざらないからである。なお図３において横方向の両端に現れる白い領域が、赤色または青色を帯びていることを示す。
【０００７】
従って、このような問題を解消するためには、平面光学素子３０を下側のＬＥＤ１４から充分距離をおいて配置すべきである。または、平面光学素子３０を充分厚くしたり、またはより多い層で形成したりすべきである。
【０００８】
しかし、平面光学素子３０とＬＥＤ１４との間の距離を増加させると、ＬＥＤバックライト装置１０の厚さが増加する。また、平面光学素子３０を充分厚くまたはより多い層で形成すると、ＬＥＤバックライト装置１０の重みや費用が増加する問題がある。
【発明の開示】
【発明が解決しようとする課題】
【０００９】
従って、本発明は前述の従来技術の問題を解決するため導き出されたことであって、本発明の目的は、基板の両端に赤色及び青色ＬＥＤを交代で配置し、これら赤色及び青色ＬＥＤから上側へ直接入射される光量を制御することにより、導光板の両端に生じる色偏差を除去することが出来るＬＥＤバックライト装置を提供することにある。
【００１０】
本発明の他の目的は、基板の両端に赤色及び青色ＬＥＤを交代で配置し、基板の縁に設置される反射器の構造を通じて、これら赤色及び青色ＬＥＤから上側へ直接入射される光量を制御することにより、導光板の両端に生じる色偏差を除去することが出来るＬＥＤバックライト装置を提供することにある。
【００１１】
本発明のまた異なる目的は、基板の両端に赤色及び青色ＬＥＤを交代で配置し、電子駆動回路を通じてこれら赤色及び青色ＬＥＤから上側へ直接入射される光量を制御することにより、導光板の両端に生じる色偏差を除去することが出来るＬＥＤバックライト装置を提供することにある。
【課題を解決するための手段】
【００１２】
前述の本発明の目的を達成すべく、本発明は、上面に反射面が形成された基板と、上記基板の両端に第１青色ＬＥＤを配置しその間に第２の緑色、赤色及び青色ＬＥＤを交代で配置した第１ＬＥＤ列と、上記第１青色ＬＥＤに隣接した位置の上記基板両端に第１赤色ＬＥＤを配置しその間に第２の緑色、青色及び赤色ＬＥＤを交代で配置した第２ＬＥＤ列と、各々の上記第１青色及び赤色ＬＥＤから上側へ放射される光量を各々の上記第２ＬＥＤから上側へ放射される光量より小さく制御する制御手段と、を含むＬＥＤバックライト装置を提供することを特徴とする。
【００１３】
上記バックライト装置において、上記制御手段は、上記第１青色及び赤色ＬＥＤを少なくとも部分的に上側で遮るカバーであることが出来る。また、上記バックライト装置は、上記基板の縁に配置された反射器をさらに含み、上記反射器は、上記カバーの下部で上記第１青色及び赤色ＬＥＤを少なくとも部分的に受容する空洞を有することが出来る。また、上記空洞は、上記第１青色及び赤色ＬＥＤの反対側部分が開いているか、上記空洞は上記第１青色及び赤色ＬＥＤの反対側部分に配置された吸光体を含むことが出来る。
【００１４】
上記バックライト装置において、上記制御手段は、上記第１青色及び赤色ＬＥＤの光量を上記第２ＬＥＤより低く制御する抵抗を有する駆動回路であることが出来る。
【００１５】
また、本発明は、上面に反射面が形成された基板と、上記基板の両端に第１型青色ＬＥＤを配置しその間に第２型緑色、赤色及び青色ＬＥＤを交代で配置した第１ＬＥＤ列と、上記第１型青色ＬＥＤに隣接した位置の上記基板両端に第１型赤色ＬＥＤを配置しその間に第２型緑色、青色及び赤色ＬＥＤを交代で配置した第２ＬＥＤ列と、上記第１型青色及び赤色ＬＥＤからの光量が上記第２ＬＥＤからの光量より少なくなるよう上記第１型及び第２型ＬＥＤを制御する駆動回路と、を含むＬＥＤバックライト装置を提供することを特徴とする。
【００１６】
上記ＬＥＤバックライト装置において、上記駆動回路は、上記第１型及び第２型ＬＥＤを共に制御することが出来る。これに対して、上記駆動回路は、上記第１型及び第２型ＬＥＤを別々に制御することが出来る。
【００１７】
上記ＬＥＤバックライト装置において、上記駆動回路は、上記第１ＬＥＤ列及び上記第２ＬＥＤ列を別々に制御することが出来る。
【００１８】
上記ＬＥＤバックライト装置において、上記第１型ＬＥＤは、上記第２型ＬＥＤより出力が小さいと好ましい。また、上記ＬＥＤバックライト装置は、上記第１型ＬＥＤの入力側に配置された抵抗をさらに含むことが出来る。
【発明の効果】
【００１９】
本発明のＬＥＤバックライト装置は、基板の両端に赤色及び青色ＬＥＤを交代で配置し、これら赤色及び青色ＬＥＤから上側へ直接入射される光量を制御することにより、導光板の両端に生じる色偏差を除去することが出来る。また、基板の縁に設置される反射器の構造を通じて、これら赤色及び青色ＬＥＤから上側へ直接入射される光量を制御することが出来る。一方、電子駆動回路を通じて、これら赤色及び青色ＬＥＤから上側へ直接入射される光量を制御することにより、導光板の両端に生じる色偏差を除去することも出来る。
【発明を実施するための最良の形態】
【００２０】
以下、本発明の好ましい実施例を添付図面を参照にさらに詳細に説明する。
図４は、本発明によるＬＥＤバックライト装置においてＬＥＤの配置構造を示す平面図である。
【００２１】
図４を参照すると、本発明のＬＥＤバックライト装置は、上面に反射面が形成された基板１０２及び基板１０２の上面に配置された第１及び第２ＬＥＤ１０４，１０６を含む。
【００２２】
第１ＬＥＤ１０４は、第１青色ＬＥＤ１０４Ｂと第１赤色ＬＥＤ１０４Ｒがあり、第２ＬＥＤ１０６は第２緑色、赤色及び青色ＬＥＤ１０６Ｇ，１０６Ｒ，１０６Ｂがある。
【００２３】
第１青色ＬＥＤ１０４Ｂは、基板１０２の両端に配置され、これらの間に第２緑色、赤色及び青色ＬＥＤ１０６Ｇ，１０６Ｒ，１０６Ｂが交代で配置され第１ＬＥＤ列を形成している。
【００２４】
また、第１赤色ＬＥＤ１０４Ｒは、上記第１青色ＬＥＤ１０４Ｂに隣接して基板１０２の両端に配置され、これらの間に第２緑色、青色及び赤色ＬＥＤ１０６Ｇ，１０６Ｒ，１０６Ｂが交代で配置され第２ＬＥＤ列を形成している。
【００２５】
このような第１及び第２ＬＥＤ列が交代で基板１０２の上面に配置され本発明によるＬＥＤ配置構造を形成する。
【００２６】
図５は、図４のＬＥＤ配置構造を用いた本発明の第１実施例によるＬＥＤバックライト装置の断面図で、図６は図５のＬＥＤバックライト装置の斜視図である。
【００２７】
図５と図６を先行の図４と共に参照すると、本実施例のバックライト装置１００は、基板１０２、該基板１０２の上面に図４の配置構造で配置された第１及び第２ＬＥＤ１０４，１０６、基板１０２の縁に沿って配置された反射器１１０及びＬＥＤ１０４，１０６の上側に配置された拡散板（例えば、微小プリズムシート）及び光学フィルタのような平面光学素子を含む。
【００２８】
反射器１１０は、上部のカバー１１２と下部の側壁１２０から成る。カバー１１２には傾斜面１１４と該傾斜面１１４の下側の底面１１６があり、側壁１２０には空洞１２２及び該空洞１２２の内側の内壁１１８がある。内壁１１８と底面１１６は、反射面であるため該空洞１２２の中へ入った光Ｌ１を外へ反射する。
【００２９】
このようにすると、第１赤色ＬＥＤ１０４から放出された光は、すぐ上の液晶パネル１４０の領域に直接進行する量が減ることとなる。従って、平面光学素子１３０の下部で、光は均一に相互混ざった状態で液晶パネル１４０へ入射することにより、色ムラまたは色偏差が無い白色照明を提供することとなる。この効果は、図７から確認でき、これは図３に図示したように色偏差を有する従来技術の場合と対比される。従って、本発明はバックライト装置の厚さや重さを増加させること無く色偏差を除去することが出来るため小型化の要求に応えることが出来る。
【００３０】
図５と図６では、第１赤色ＬＥＤ１０４Ｒに対して説明したが、これは第１青色ＬＥＤ１０４Ｂに対しても同一に適用される。一方、緑色ＬＥＤの場合には、緑色の視感度が低いため基板１０２の縁に緑色ＬＥＤを第１赤色及び青色ＬＥＤ１０４Ｒ，１０４Ｂのように配置する必要は無い。
【００３１】
このようなカバー１１２は、第１赤色及び青色ＬＥＤ１０４Ｒ，１０４Ｂの光が直接上向放射される量を適切な水準に減らすためであり、その程度はＬＥＤのレンズまたはパッケージの形状によって異なることが出来る。例えば、ＬＥＤが側面から光を放出するよう構成された側面型レンズまたはパッケージを採用した場合には、上向光の量を約１／２水準まで減らすように構成すると好ましい。また、ＬＥＤがドームまたは半球形態を有するレンズまたはパッケージを採用する上向放出形態の場合には、直接上向光の量を約１／３水準まで減らすよう構成すると好ましい。
【００３２】
勿論、カバー１１２は、バックライト装置１００の用度や設計によって第１ 赤色及び青色ＬＥＤ１０４Ｒ，１０４Ｂからの直接上向光を完全に遮断するよう構成することも出来る。このようにすると、空洞１２２は第１赤色及び青色ＬＥＤ１０４Ｒ，１０４Ｂを完全に受容することとなる。
【００３３】
一方、側壁１２０に空洞１２２を設置する代わりに、側壁全体１２０を内壁１１８の位置まで後退させても上記と実質的に同一の効果を得ることが出来る。
【００３４】
前述の第１実施例のＬＥＤバックライト装置１００は、図８（ａ）及び８（ｂ）のように変形することが出来る。図８（ａ）を参照すると、変形されたＬＥＤバックライト装置１００Ａは、図５の内壁１１８を除去して第１赤色ＬＥＤ１０４Ｒから空洞（１２２、図６参照）の中へ入射した光を外部へ抜き出すよう構成した。これに対して、図８（ｂ）に図示したＬＥＤバックライト装置１００Ｂのように、吸光体１１８ａを内壁１１８に対応する位置に配置しても実質的に同一の効果を期待することが出来る。
【００３５】
図９は、本発明の第２実施例によるＬＥＤバックライト装置の平面図である。図９に図示した第２実施例によるＬＥＤバックライト装置２００は、基板の両側縁に配置された第１赤色及び青色ＬＥＤ２０４ｒ，２０４ｂの光量を駆動部２５０を通じて制御することにより、実質的に第１実施例の場合と同一の効果を得るよう構成された。
【００３６】
具体的に説明すると、各々の駆動部２５０は、主駆動部２５２と副駆動部２５６ｒ，２５６ｂを含む。主駆動部２５２は、配線２５４により主回路基板２６０の端子２６２に連結され、端子２６２は基板配線２６４，２６６，２６８により第２型ＬＥＤ２０６に連結される。具体的には、第１配線２６４は複数の緑色ＬＥＤ２０６Ｇを直列で連結し、第２配線２６６は複数の青色ＬＥＤ２０６Ｂを直列で連結し、第３配線２６８は複数の赤色ＬＥＤ２０６Ｒを直列で連結する。このような主回路基板２６０と主駆動部２５２の構成と動作は、当業界において公知であるためこれ以上具体的には説明しない。
【００３７】
一方、副駆動部２５６ｒは、配線２５８と端子２７２を通じて第１型赤色ＬＥＤ２０４ｒに連結され、該第１型赤色ＬＥＤ２０４ｒは基板配線２７４ｒにより反対側の第１型赤色ＬＥＤ２０４ｒに連結される。
【００３８】
第１型赤色ＬＥＤ２０４ｒは、第２型赤色ＬＥＤ２０６Ｒに比べ出力が小さく相互異なる形態であるため、相互異なる駆動部が必要となる。第１型赤色ＬＥＤ２０４ｒの出力は、第２型赤色ＬＥＤ２０６Ｒより小さいが、その水準は第１実施例から前述した通り、バックライト装置２００の用度や設計によって異なるようにすることが出来る。好ましくは、前述した通り、第１型赤色ＬＥＤ２０４ｒが側面型レンズまたはパッケージを採用する場合には、第２型赤色ＬＥＤ２０４Ｒの約１／２水準で、上向放出形態のレンズまたはパッケージを採用した場合には、約１／３水準になることが出来る。
【００３９】
一方、第１型青色ＬＥＤ２０４ｂとその駆動部２５６の場合にも、第１型赤色ＬＥＤ２０４ｒの場合と同一であるためその説明は省略する。
【００４０】
このような駆動部と回路を通じて基板両端に出力が低い第１型赤色及び青色ＬＥＤ２０４ｒ，２０４ｂを配置することにより、第１実施例から説明したのと同様に色ムラまたは色偏差を除去することが出来る。
【００４１】
図１０は、本発明の第２実施例によるＬＥＤバックライト装置の変形例の平面図である。図１０を参照すると、変形例によるＬＥＤバックライト装置２００−１は、第１型赤色ＬＥＤ２０４ｒを第２型ＬＥＤ２０６Ｇ，２０６Ｂ，２０６Ｒと同一回路基板２６０−１に設置したことを除いては、前述のバックライト装置２００と同一である。これによる効果として、バックライト装置２００では第１型ＬＥＤ２０４と第２型ＬＥＤ２０６との間の距離を設計によって調節することが可能な形態であるが、バックライト装置２００−１はこれらの間の距離を調節できないという差がある。
【００４２】
図１１は、本発明の第２実施例によるＬＥＤバックライト装置の他の変形例の平面図である。図１１を参照すると、他の変形例のＬＥＤバックライト装置２００−２は、一つの駆動部２５０−２を使用し、同一回路基板２６０−２に第１型及び第２型ＬＥＤ２０４，２０６を配置して、同一端子２６２−２を用いている。ここで、第１型赤色ＬＥＤ２０４ｒと第２型赤色ＬＥＤ２０４Ｒを相互直列で連結していることが特徴である。一方、第１型赤色ＬＥＤ２０４ｒは第２型赤色ＬＥＤ２０４Ｒより出力が小さいため、印加される電圧を低めるために、その入力に抵抗Ｒ１，Ｒ２を設置した。
【００４３】
このように構成しても、前述の第１及び第２実施例と実質的に同一の動作及び効果を得ることが出来る。
【００４４】
上記では本発明の好ましい実施例を参照に説明したが、該当技術分野において通常の知識を有している者であれば、添付の特許請求範囲に記載された本発明の思想及び領域から外れない範囲内で本発明を多様に修正及び変更できることが分かる。
【図面の簡単な説明】
【００４５】
【図１】従来技術によるＬＥＤバックライト装置の概略的な分解斜視図である。
【図２】図１のＬＥＤバックライト装置の断面図である。
【図３】図１のＬＥＤバックライト装置により照明される液晶パネルの表面状態を示す平面図である。
【図４】本発明によるＬＥＤバックライト装置においてＬＥＤの配置構造を示す平面図である。
【図５】本発明の第１実施例によるＬＥＤバックライト装置の断面図である。
【図６】図５のＬＥＤバックライト装置の斜視図である。
【図７】本発明のＬＥＤバックライト装置により照明される液晶パネルの表面状態を示す平面図である。
【図８】（ａ）および（ｂ）は、本発明の第１実施例によるＬＥＤバックライト装置の変形例の断面図である。
【図９】本発明の第２実施例によるＬＥＤバックライト装置の平面図である。
【図１０】本発明の第２実施例によるＬＥＤバックライト装置の変形例の平面図である。
【図１１】本発明の第２実施例によるＬＥＤバックライト装置の他の変形例の平面図である。
【符号の説明】
【００４６】
１００，１００Ａ，２００，２００−１，２００−２  バックライト装置
１０２  基板
１０４  第１ＬＥＤ
１０６  第２ＬＥＤ
１１２  カバー
１１４  傾斜面
２０４  第１型ＬＥＤ
２０６  第２型ＬＥＤ
２５０，２５２，２５６，２５０−２  駆動部
【図２】
0004490958.tif 000002
【図４】
0004490958.tif 000003
【図５】
0004490958.tif 000004
【図８】
0004490958.tif 000005
【図９】
0004490958.tif 000006
【図１０】
0004490958.tif 000007
【図１１】
0004490958.tif 000008
【図１】
0004490958.tif 000009
【図３】
0004490958.tif 000010
【図６】
0004490958.tif 000011
【図７】
0004490958.tif 000012